(57)【特許請求の範囲】
【請求項１】
合成樹脂製の本体と、この本体に回転自在に支持されたアーム付きはす歯歯車と、アーム付きはす歯歯車に螺合して本体に回転自在に支持されたウォーム軸と、このウォーム軸を回転させる合成樹脂製のハンドルと、ハンドルの先端に回転自在に取り付けられた合成樹脂製のハンドル握りと、本体に被着された合成樹脂製の本体カバーとを具備しており、本体は、一端面が開放された中空部を有した基部と、この基部の両端から互いに反対方向に突出して基部に一体的に形成されており、それぞれには取り付け用のねじ又はリベット孔が形成された一対の取り付け部と、基部のほぼ中央部から斜め外方向に突出して基部に一体的に形成された筒部と、中空部に突出していると共に筒部を間にして対称に基部に一体的に形成された一対の軸支部とを具備しており、アーム付きはす歯歯車は、本体の一方の軸支部に回転自在に支持されたはす歯歯車部と、このはす歯歯車部に一体的に形成されて、本体の中空部の一端面から外部に突出したアーム部とを具備しており、ウォーム軸は、その一端側が、筒部内に配されており、その他端側が、筒部内から突出して、筒部に回転自在に支持されており、ハンドルは、一端には、筒部内から突出するウォーム軸の他端側を固定して受容する凹所を具備しており、本体カバーは、基部及び取り付け部に被着されている合成樹脂製操作装置。
【発明の詳細な説明】
【０００１】
【発明の属する技術分野】
本発明は、例えばルーバ窓、開き窓等の開口部の開閉装置に用いて好適な合成樹脂製操作装置に関する。
【０００２】
【発明が解決しようとする課題】
この種の操作装置として、実公平３−５９３３号公報に記載のものがあるが、この公報に記載の操作装置は、一枚の板材で形成された本体を具備しており、このような本体を具備した操作装置は、量産に適し、ドリルによる孔明けなどの機械加工をなくすことができ、安価に製造でき、強度が高いという、極めて優れた利点を有しているが、通常、プレスによる加工であるため、一枚の板材は、金属製のものを用いざるを得ないため軽量化を計り難く、また、プレス工程を多く必要とし、これらの点で必ずしも満足し得るものではない。
【０００３】
本発明は、前記諸点に鑑みてなされたものであって、その目的とするところは、十分に軽量化を計ることができ、また、プレス工程等を必要とせず、更に、色彩を含んで意匠的に優れたものとすることができ、安価な合成樹脂製操作装置を提供することにある。
【０００４】
【課題を解決するための手段】
本発明によれば前記目的は、合成樹脂製の本体と、この本体に回転自在に支持されたアーム付きはす歯歯車と、アーム付きはす歯歯車に螺合して本体に回転自在に支持されたウォーム軸と、このウォーム軸を回転させる合成樹脂製のハンドルと、ハンドルの先端に回転自在に取り付けられた合成樹脂製のハンドル握りと、本体に被着された合成樹脂製の本体カバーとを具備しており、本体は、一端面が開放された中空部を有した基部と、この基部の両端から互いに反対方向に突出して基部に一体的に形成されており、それぞれには取り付け用のねじ又はリベット孔が形成された一対の取り付け部と、中空部に突出して基部に一体的に形成された軸支部と、基部のほぼ中央部から斜め外方向に突出して基部に一体的に形成された筒部とを具備しており、アーム付きはす歯歯車は、本体の軸支部に回転自在に支持されたはす歯歯車部と、このはす歯歯車部に一体的に形成されて、本体の中空部の一端面から外部に突出したアーム部とを具備しており、ウォーム軸は、その一端側が、筒部内に配されており、その他端側が、筒部内から突出して、筒部に回転自在に支持されており、ハンドルは、一端には、筒部内から突出するウォーム軸の他端側を固定して受容する凹所を具備しており、本体カバーは、基部及び取り付け部に被着されている合成樹脂製操作装置によって達成される。
【０００５】
なお、筒部を間にして対称に一対の軸支部を、中空部に突出させて基部に一体的に形成してもよく、このように一対の軸支部を基部に形成すると、アーム付きはす歯歯車を、右勝手でも、左勝手でもいずれにも取り付けることができ、好ましい場合がある。
【０００６】
【発明の実施の形態】
次に本発明の実施の形態を、図に示す好ましい実施例に基づいて更に詳細に説明する。なお、本発明はこれら実施例に何等限定されないのである。
【０００７】
【実施例】
図１から図８において、本例の合成樹脂製操作装置１は、合成樹脂製の本体２と、本体２に回転自在に支持されたアーム付きはす歯歯車３と、アーム付きはす歯歯車３に螺合して本体２に回転自在に支持されたウォーム軸４と、ウォーム軸４を回転させる合成樹脂製のハンドル５と、ハンドル５の先端に回転自在に取り付けられた合成樹脂製のハンドル握り６と、本体２に被着された合成樹脂製の本体カバー７とを具備している。
【０００８】
本体２は、一端面２１が開放された中空部２２を有した偏平半楕円状の基部２３と、基部２３の両端から互いに反対方向に突出して基部２３に一体的に形成されており、それぞれには取り付け用のねじ又はリベット孔２４が形成された一対の取り付け部２５及び２６と、中空部２２に突出して基部２３に一体的に形成された軸支部２７と、基部２３のほぼ中央部から斜め外方向に突出して基部２３に一体的に形成された筒部２８とを具備している。本例の軸支部２７は、筒部２８を間にして対称に一対が中空部２２に突出して基部２３に一体的に形成されている。軸支部２７の貫通孔２９いずれか一方に、ピン３０が嵌装されて、はす歯歯車３が基部２３に回転自在に支持される。
【０００９】
はす歯歯車３は、歯３５が外周部に形成されており、本体２の軸支部２７に回転自在に支持されたはす歯歯車部３６と、はす歯歯車部３６に一体的に形成されて、本体２の中空部２２の一端面２１から外部に突出したアーム部３７とを具備している。ピン３０がはす歯歯車部３６の中心孔に挿入されて、はす歯歯車部３６は、本体２の軸支部２７に回転自在に支持されている。
【００１０】
ウォーム軸４は、その一端４１側が、筒部２８内に配されており、その他端４２側が、筒部２８内から突出して、筒部２８に回転自在に支持されている。ウォーム軸４は、ウォームねじが外周に形成されたウォームねじ部４３と、ウォームねじ部４３の一端に一体的に形成されており、本体２に形成された凹所４４に回転自在に嵌装された一端４１と、ウォームねじ部４３の他端に一体的に形成された連結部４５と、セレーション５３が外周面に形成されており、連結部４５に一体的に形成されて、筒部２８内から突出した他端４２とを具備している。なお、筒部２８の開口端には、カラー４６が嵌着されている。
【００１１】
ハンドル５は、一端５１には、筒部２８から突出するウォーム軸４の他端４２側を固定して受容する凹所５２を具備しており、凹所５２には、ウォーム軸４の他端４２に形成されたセレーション５３に嵌合するセレーション５４が形成されており、セレーション５３と５４との相互の嵌合により、ハンドル５の回転が空回りすることなしにウォーム軸４に伝達されるようになっている。
【００１２】
ハンドル５の先端６１には、連結ピン６２を介して回転自在に断面略楕円状のハンドル握り６が取り付けられており、ハンドル握り６を握ってハンドル５を回転させるようになっている。
【００１３】
装飾カバーとしての本体カバー７は、基部２３並びに取り付け部２５及び２６を覆うようにして、当該基部２３並びに取り付け部２５及び２６に嵌合されて被着されている。
【００１４】
以上の合成樹脂製操作装置１は、例えば図９に示すように、ルーバ窓７１のルーバ７２の開閉のために用いられる。この場合、ねじ又はリベット孔２４に挿入されたねじ７３により合成樹脂製操作装置１は、開口部の竪枠７４に取り付けられ、アーム部３７には、ピン７５を介して連結ロッド７６に回動自在に連結されたリンク部材７７がピン７８を介して連結される。なお、連結ロッド７６は、ルーバ７２のそれぞれに回動自在に連結されている。
【００１５】
ハンドル握り６を握ってハンドル５をＡ方向に回転させることにより、ウォーム軸４が回転されて、ウォーム軸４の回転で、ウォーム軸４のウォームねじに螺合したはす歯歯車３がピン３０を中心としてＢ方向に回動されて、これによりリンク部材７７及び連結ロッド７６を介してルーバ７２が開閉される。
【００１６】
ところで、合成樹脂製操作装置１では、本体２、ハンドル５、ハンドル握り６及び本体カバー７がそれぞれ合成樹脂材から一体形成されたものであるため、十分に軽量化を計ることができ、また、プレス工程等を必要とせず、更に、色彩を含んで意匠的に優れたものとすることができ、美観に優れた安価なものとすることができる。なお、本体２を一対の半割り体を互いに接着したものから形成してもよい。
【００１７】
【発明の効果】
以上のように本発明によれば、十分に軽量化を計ることができ、また、プレス工程等を必要とせず、更に、色彩を含んで意匠的に優れたものとすることができ、安価な合成樹脂製操作装置を提供することができる。
【図面の簡単な説明】
【図１】本発明の好ましい一実施例の平面図である。
【図２】図１に示す実施例の側面図である。
【図３】図１に示す実施例の本体の断面図である。
【図４】図３に示す本体の底面図である。
【図５】図１に示す実施例の一部の断面図である。
【図６】図１に示す実施例のアーム付きはす歯歯車の平面図である。
【図７】図１に示す実施例の本体カバーの平面図である。
【図８】図７に示す本体カバーの底面図である。
【図９】図１に示す実施例の使用例の説明図である。
【符号の説明】
１  合成樹脂製操作装置
２  本体
３  アーム付きはす歯歯車
４  ウォーム軸
５  ハンドル
６  ハンドル握り
７  本体カバー
【図１】
0003726325.tif 000002
【図２】
0003726325.tif 000003
【図３】
0003726325.tif 000004
【図４】
0003726325.tif 000005
【図５】
0003726325.tif 000006
【図６】
0003726325.tif 000007
【図７】
0003726325.tif 000008
【図８】
0003726325.tif 000009
【図９】
0003726325.tif 000010